(57)【要約】一連の複数先細りしたやすりが内歯科使用のために開示される。やすりは少なくとも２つの区分、即ち、やすりの先端部に隣接する第１の部分及びシャンクに隣接する第２の部分を有する。２つの部分は異なる先細りを有する。やすりは組の第１のやすりから最後のやすりまで段階的に減少するすべてのやすりの第１部分の先細りを備えた少なくとも４つのやすりの組として設けられる。ある組においては、第２の部分の先細りはやすり毎に同じであり、２つの選択された先細りの１つで固定される。他の組においては、第１の部分の先細りが減少するにつれて、第２の部分の先細りはやすり毎に増大する。
2004522524.tif 000002
【特許請求の範囲】
【請求項１】
内歯科用やすりであって、
第１の直径を有する丸いシャンクと、シャンクから遠い方のやすりの端部に位置し、第１の直径よりも小さな第２の直径を有する先端部と、先端部とシャンクとの間を延び、その長さ全体にわたって少なくとも１つの螺旋状の切断縁を有する先細りフルート部分と、を含み、
先細りフルート部分は、フルート部分の異なる部位において少なくとも２つの異なる度合いの先細りを含むやすり。
【請求項２】
前記やすりのシャンクに取付けられやすりの操作を容易にするハンドルを更に含む請求項１のやすり。
【請求項３】
前記シャンクは歯科用の手持ち片に結合するためのラッチ把持部分を具備する請求項１のやすり。
【請求項４】
先端部に隣接するフルート部分の第１の部位が第１の部位の全長にわたる第１の一定の度合いの先細りを具備し、シャンクに隣接するフルート部分の第２の部位が第１の部位の先細りよりも小さな第２の一定の度合いの先細りを具備する請求項１のやすり。
【請求項５】
前記フルート部分の第１の部位の先細りはその第２の部位の先細りよりも大きいことを特徴とする請求項４のやすり。
【請求項６】
前記フルート部分の第２の部位の先細りは０．０２ｍｍ／ｍｍである請求項５のやすり。
【請求項７】
前記フルート部分の第２の部位の先細りは０．０４ｍｍ／ｍｍである請求項５のやすり。
【請求項８】
前記フルート部分の第１の部位の先細りは０．１２ｍｍ／ｍｍである請求項４のやすり。
【請求項９】
前記フルート部分の第１の部位の先細りは０．１０ｍｍ／ｍｍである請求項４のやすり。
【請求項１０】
前記フルート部分の第１の部位の先細りは０．０８ｍｍ／ｍｍである請求項４のやすり。
【請求項１１】
前記フルート部分の第１の部位の先細りは０．０６ｍｍ／ｍｍである請求項４のやすり。
【請求項１２】
前記フルート部分の第１の部位の先細りは０．０４ｍｍ／ｍｍである請求項４のやすり。
【請求項１３】
前記フルート部分の第１の部位の先細りは０．０２ｍｍ／ｍｍである請求項４のやすり。
【請求項１４】
前記フルート部分の第１及び第２の部位の先細りは互いに関して選択された比率内にある請求項４のやすり。
【請求項１５】
前記比率が３乃至６の範囲内にある請求項１４のやすり。
【請求項１６】
先細りの度合いがフルート部分の第１及び第２の部位間で急激に変化する請求項１２のやすり。
【請求項１７】
前記フルート部分の第１及び第２の部位間の境界点がやすりの先端部から予め選択された距離にある請求項１６のやすり。
【請求項１８】
請求項４にそれぞれ対応する一組の内歯科用やすりであって、フルート部分の第１の部位の先細りが上記組内でやすり毎に変化する一組の内歯科用やすり。
【請求項１９】
フルート部分の第１の部位の先細りの変化の範囲が０．０２ｍｍ／ｍｍから０．１２ｍｍ／ｍｍまでである請求項１８の一組の内歯科用やすり。
【請求項２０】
フルート部分の第１の部位の先細りの変化の範囲が０．０６ｍｍ／ｍｍから０．１２ｍｍ／ｍｍまでである請求項１８の一組の内歯科用やすり。
【請求項２１】
フルート部分の第２の部位の先細りが０．０２ｍｍ／ｍｍの選択された値である請求項２０の一組の内歯科用やすり。
【請求項２２】
フルート部分の第２の部位の先細りが０．０４ｍｍ／ｍｍの選択された値である請求項２０の一組の内歯科用やすり。
【請求項２３】
フルート部分の第２の部位の先細りの度合いが上記組のフルート部分の第１の部位における先細りの度合いの変化に逆比例してやすり毎に変化する請求項２０の一組の内歯科用やすり。
【請求項２４】
フルート部分の第１の部位の先細りが０．１２から０．０６ｍｍ／ｍｍまで減少するときに、フルート部分の第２の部位の先細りが０．０１から０．０４ｍｍ／ｍｍまで増大する請求項２０の一組の内歯科用やすり。
【発明の詳細な説明】
【技術分野】
【０００１】
本発明は一般に内歯科用（endodontic）の器具に関し、特に、人間の歯の根管内に存在する物質を清掃するために、及び、充填の準備をできるように根管を拡大及びシェーピングするために使用される根管用やすり（root canal files）に関する。
【背景技術】
【０００２】
比較的一般ではあるが困難な歯科処置は患者の歯の根管のシェーピング（shaping;形成る）、清掃及び充填である。根管処置の遂行においては、歯の歯冠（クラウン）部分即ち露出部分、典型的には、奥歯に対しては歯の噛み表面又は切歯に対しては顎の内部の歯の側部において、穴を最初に切削する。次いで、根管用やすりとして一般に知られている小さな内歯科用の器具を使用して、根管内に存在する物質を掃除し、根管をシールするために充填材料を根管内に挿入できるように、根管に先細り形状（tapered shape）を与える。
【０００３】
根管が清掃及びシェーピングされているとき、１つの特定の準備装置においては、増大する直径を有する一連のやすりを使用して、根管を実質上拡大する。やすりは歯科医により片手の親指と人差し指との間に保持される。既知の従来の一組内の各やすりは切断フルート（cutting flute;縦溝）部分の一端から他端まで同一の先細りを有する。例えば、典型的なＫ型やすりの組においては、先細りは切断フルートの標準的な１６ｍｍの長さにわたって各やすりについて０．３２ミリメートルであるか、又はクルート長さ１ｍｍに先細り０．０２ｍｍである。この先細りは時々規格ＩＳＯ（国際規格機構）先細りとして参照される。
【０００４】
これらのやすりの組は同一の先細りを有するが、これらは多数の寸法を持つ。やすりを特徴づける寸法番号は数百分の１ミリメートルとしての先端部でのやすりの直径であり、従って、大きい端部でのやすりの直径はこの先端部直径よりも大きな０．３２ミリメートルである。完全な組は寸法０６、０８、１０、１５、２０、２５、３０、３５、４０、４５、５０、５５、６０、７０、８０、９０、１００、１１０、１２０、１３０、１４０を含むが、寸法０８−６０が典型的に使用される。ある製造者はある半寸法又は規格外寸法を作る。
【０００５】
根管は滅多に真直ぐではなく、根の厚さ及び根管の湾曲の厳しさや位置に応じて、シェーピング処置中に根及び根管に取り返しのつかない損傷を生じさせる危険性がある。大き過ぎてやすりが湾曲した根管内へ遠くまで前進し過ぎると、やすりが根の側部を容易に切断することがあり、これは根の穿孔として参照され、次いで、歯を抜かなければならない。
【０００６】
根の穿孔の別の原因は、薄くて湾曲した根の中間の３分の１内への大きなエンジン駆動ゲーツ・グリデン（Gates−Glidden）又はピーゾ(Peezo)バー(bur)の不注意な導入である。極めて稀だが、これらのバーが新しくて鋭利な場合、操作者は管のオリフィスにおいてのみ一層大きな寸法の１つを使用することを意図するが、頼るものもなくバーを見て管の壁をつかみ、それ自体を根の危険な深さまで引き込む。
【０００７】
穿孔は多分シェーピング処置における間違いの最悪の結果であるが、管準備の熱心すぎる開拡により生じる亜穿孔及び根弱化における一層共通の問題がある。内歯科文献においては、管のデリケートな頂点区域における器具の必要な制御を提供し、全体の根管空間を有効に塞ぐために、管準備の首部の３分の２における十分な形状が管の十分な清掃を達成するのに必須であることを述べている。しかし、これらの処置のすべてが直接見ることのできない顕微鏡的な根管用装置において達成されるので、十分なアクセスを生じさせることと危険な器具使用との間の満足できるラインを決定することは困難である。
【０００８】
更に、やすりの先端部が管の湾曲を追従せず、レッジング(ledging；棚)として参照される、根管から分岐する通路を穴明けする場合、手術的な修正の問題がしばしば必要となる。従って、根管シェーピングの技術は、歯に対する損傷を阻止し、管の理想的な充填の助けとなる先細りした管の準備を行うためにかなりの熟練を必要とすること明らかである。
【０００９】
根管を清掃し、シェーピングするために同一の先細りを有する従来の一組のやすりを使用する１つの技術は「ステップ・バック」として参照される。０８から６０まで（１２器具）の一連のやすり寸法は最小のものから最大のものまで順番に管内に導入され、各連続する一層大きなやすりが管の端部からもっと先で使用される。更に、４から６までの寸法のゲーツ・グルデン又はピーゾバーがこのステップ・バック方法で同様に使用され、合計１６乃至１８個の器具を使う。
【００１０】
ステップ・バック手順の改善は、本出願人に係る「根管準備方法」という名称の米国特許第６，０５３，７３５号明細書に開示されており、その開示を参照としてここに組み込む。
【特許文献１】米国特許第６，０５３，７３５号明細書
【特許文献２】米国特許第５，８９７，３１６号明細書
【００１１】
開示された改善された内歯科処置は、第１のクラウン・ダウン手順においてやすり又はバーのいずれかを使用する工程と、次いで、連続するステップ・バック手順における逆の順序で器具を使用する工程と、これに続いて、第２のクラウン・ダウン手順において選択された器具により根管の準備を完了する工程とを含む。標準の先細りの普通の根管用やすり又は可変の先細りのやすりのいずれかを使用することができる。
【００１２】
本出願人に係る先の米国特許第５，８９７，３１６号明細書は大きな先細り装置(Greater Taper System) （商標名）として参照される可変先細りのやすりの使用を開示する。この特許の開示を参照としてここに組み込む。
【００１３】
内歯科シェーピング処置の目的は、管の端部で最も狭く、歯の歯冠の近傍で最も幅広い連続的に先細りする準備を行うことである。その先細りが変化するやすりを使用することにより、従来のＩＳＯ先細り器具により要求される１６乃至１８個のやすりの代わりに単一のシェーピング用やすりを使用することによって、根管をしばしば準備できることが分かった。１６乃至１８個の工具の代わりに単一の工具を使用することは効率の点から望ましいことが容易に明らかであるが、可変の先細りのやすりの使用は、一層少ない訓練及び経験しかつんでいない開業医にとって理想的な根管シェーピング結果を提供することにも留意すべきである。
【００１４】
困難で時間の要するステップ・バック技術により先細りした管形状を作るのとは逆に、大きな先細り装置（商標名）は、適当な先細りのシェーピング器具で管の全長を作業するだけで済む。単一の器具での管のシェーピングの大幅に改善された容易化及び簡単化に加えて、これは、初めて、管の全長にわたっての予め定められた形状を提供する。
【００１５】
予め定められた根管準備により提供される最も重要な利点の１つは、根管装置における清掃及び充填手順を最適化する合成能力である。大きな先細り装置（商標名）により教示されたやすりのデザインが異なる先細りを含むので、シェーピング用やすりの先端部は、標準の先細りを備えたやすりにおけるように管内で経路を切断するために使用されない。規格ＩＳＯのやすりの組は同じ先細りを有するが一連のやすりにおける先端部直径が増大するけれども、大きな先細り装置（商標名）の一組のシェーピング用やすりの先端部直径は異なる先細りのやすりに対して同一とすることができる。また、その先端部直径を異にする異なる組のこのようなシェーピング用やすりも存在することができる。即ち．０４及び．０６及び．０８及び．１０及び．１２ｍｍ／ｍｍの先細りを備え、同じ０．２ｍｍの先端部直径を有する１つの組のシェーピング用のやすり；同じ範囲の先細りを備えるが、０．３５ｍｍの先端部直径を有する別の組のシェーピング用のやすり等。最後に、大きな先細り装置（商標名）は均一に又は比例的に先端部直径を増大させることにより変化する同様の非ＩＳＯ先細りを備えた組のシェーピング用やすりを含む。
【００１６】
更に、大きな先細り装置（商標名）のシェーピング用やすりは、その一層大きな先細り率にも拘らず、湾曲した管及び／又は薄い根において安全に使用できる。これは、組内のやすりが漸進的に大きくなる先細りを有し、その最大フルート直径を制限するので、漸進的に短くなるフルート長さの仕様により極めて有効に達成される。この特徴がなければ、これらの器具の先細りが増大するにつれて、可変的に先細りするシェーピング用やすりのシャンク端フルート直径は一層大きく、一層硬くなり、横方向の穿孔又は根の弱化の可能性も同様に増大する。
【００１７】
これらの増大的に先細りするシェーピング用やすりの最大フルート直径はその安全な使用を許容するが、この特徴は一層広い意味で極めて重要である。普通の１５−１８の器具セットの代わりに単一のシェーピング用やすりを使用することは、６つの異なる寸法のゲーツ・グリデンバーを使用して根管の宝冠部分を漸進的に狭くする場合のシェーピング結果とは違って、その管の全長にわたっての最終形状が予め定められることを意味する。ゲーツ・グリデン又はピーゾバーにとっては、薄い根において深過ぎる使用は極めて普通のことであり、弱化及び穿孔の危険性を生じさせる。シェーピング用やすりの最大フルート直径を単に制限することは、内歯科分野において初めて、管の宝冠の３分の２の拡大を、管の小さな頂上部分を清掃し、その区域における器具のシェーピング及び充填の制御を維持するのに正確に十分な程度であるが僅かにでも大きくならない程度まで、許容する。
【００１８】
回転切断運動でシェーピング用やすりを使用する場合、２つの主要な問題、即ち破断の可能性及び切断の遅鈍化に遭遇する。大きな先細り装置（商標名）においては、これは、器具のシャンク端部でのインラインリーマー様の角度からやすりの先端部における一層垂直なＫ型フルート角度までフルートピッチを変化させることにより、克服される。上述の代わりに又はそれに加えて、切断フルートの相対的な鋭利度はやすりの長さに沿って変化し、一層幅広いフルートによる積極的な切断を許容するように長いシャンクの端部において最も鋭利となり、やすりの一層小さくて一層脆い先端部の近傍で最も鈍くなっており、そのため、これらのフルートは回転中に管の壁から容易に解放でき、先端部が束縛されるときに生じることのあるやすりの破断を阻止する。
【００１９】
大きな先細り装置（商標名）のやすりの使用及び上述したこれらのやすりの実質的な改善による多くの利点にも拘らず、やすり毎の先細りの変化に拘らずシャンクから先端部までの一定の即ち固定の先細りを有するやすりを依然として包含する。特定の根管の準備が１つの部分においてある先細り必要とし、目的を達成するために異なるやすりの使用を要求する別の部分において異なる先細りを必要とする場合があることを発見した。先端部とシャンクとの間の異なる地点で少なくとも２つの異なる先細り角度を提示し、根管の準備における効率を実質的に改善する複数先細りしたやすりを工夫した。この複数先細りしたやすりは上述した各手順及び内歯科の一般分野における他の手順で役立つように使用できる。
【発明の開示】
【００２０】
概略的には、本発明の特定な構成は、そのフルート区分の異なる部分に沿って少なくとも２つの異なる先細り角度即ち度合いを有する先細りした根管用のやすりを有する。例えば、本発明に係る１つの特定のやすりは０．１２の先細りを有するやすりの先端部に隣接する第１の部分を有する。これは、先端部から、先細りが０．０２先細り（規格ＩＳＯ先細り）へと変化するシャンクに隣接した第２の部分まで戻る選択された距離にわたって延びる。このやすりは、すべてが第１及び第２の部分に対してやすり毎に同じ長さをそれぞれ有し、第２の部分に対して同じ０．０２の先細りを有するが、第１の部分がやすり毎に減少するような一組の４つのやすりのうちの１つである。
【００２１】
第１のやすりは第１の部分に対して０．１２の先細りを有するものである。次のやすりは第１の部分に対して０．１０の先細りを有し、第３及び第４のやすりはそれぞれ０．０８及び０．０６の第１部分の先細りを有する。第２の組のやすりは、第２の部分に対する先細りが０．０４ｍｍ／ｍｍで確立される点を除いて、すべての点で先に述べた組と正確に同様である。用語を区別する目的で、これら２つの組のやすりは第１のグループのやすりとして指名する。
【００２２】
本発明に係る別の構成においては、複数先細りしたやすりは、変化する長さの（即ち先端部から戻って延びる）その第１の部分を有する２つの同様の組の４つのやすりとして設けられる。やすりの切断部分の長さがやすり毎に同じであるので、第１の部分の長さがそれぞれ０．１２、０．１０、０．０８及び０．０６の減少した先細りを有するように増大したときに、第２の部分の長さはそれに従って減少する。第１のグループ内の２組のやすりのように、これらの２組のやすりはシャンクに隣接する第２のフルート部分の長さにわたってそれぞれ０．０２及び０．０４ｍｍ／ｍｍの先細りを伴って設けられる。これらの２組のやすりは第２のやすりグループとして参照される。
【００２３】
第３のグループは単一の組の４つのやすりからなり、これらは、第１の組のやすりと同様に、それぞれ第１及び第２の部分に対してやすり毎に等しい長さを有する。しかし、この第３のグループにおいては、第２の部分の先細りはやすり毎に第１の部分の先細りとは逆に変化する。すなわち、第３のグループのやすりの第１の部分の先細りが第１のやすりのための０．１２から０．１０及び０．０８を経て第４のやすりのための０．０６まで減少するときに、第２の部分の先細りは第１のやすりのための０．０１ｍｍ／ｍｍから０．０２及び０．０３を経て第４のやすりのための０．０４ｍｍ／ｍｍまで増大する。
【００２４】
第４のグループのやすりは第２のグループのやすりと同様であり、第１及び第２の部分の長さはやすり毎に変化し、すなわち、最も短い第１の部分従って最も長い第２の部分を有する第１のやすりから始まり、第１の部分の長さはやすり毎に増大し、一方、第２の部分の長さはそれに従って減少する。第１の部分の先細りはやすり毎に減少し、０．１２の先細りから出発して、第４のやすりにおける０．０６の先細りまで漸進的に減少する。この第４のグループにおいては、第２の部分の先細りが一定の組内においてやすり毎に同じである第２のグループとは違って、第１の部分の先細りが減少するにつれて、第２の部分の先細りはやすり毎に増大する。
【００２５】
従って、第４のグループ内のやすりに対しては、第１の部分の先細りが０．１２から０．１０及び０．０８を経て０．０６へ減少すると、第２の部分の先細りはやすり毎に増大する。０．１２の第１の部分の先細りを有する第４のグループ内のやすりに対しては、第２の部分の先細りは０．０１である。０．１０の第１部分の先細りを有する第２のやすりに対しては、第２の部分の先細りは０．０２である。０．０８の第１部分の先細りを備えた第３のやすりに対しては、第２部分の先細りは０．０３である。第４のやすりは０．０６の第１部分の先細りを有し、一方、第２の部分の先細りは０．０４である。
【００２６】
それ故、本発明に係る構成は複数先細りした組の各々４つのやすりを提供する。適当なら、５つ又は６つのやすりの組に延ばすことができる。開示の目的で、これらをグループＩ−IVとして体系づける。グループのいくつかは２組のやすりからなり；いくつかは明確に異なる先細りの少なくとも２つの部分を各々有する単一の組からなる。各組において、第１の部分の先細りはやすり毎に変化し、最大の先細りのやすりのための０．１２の先細りから出発して、０．１０及び０．０８を経て第１の部分内の０．０６の最小の先細りやすりまで漸進的に減少する。組が５つ又は６つのやすりまで延びる場合は、第１の部分の最小先細りはそれぞれ０．０４又は０．０２である。グループＩ及びIIにおいては、１つの組はその第２の部分内において０．０２の標準先細りを有するやすりからなり、一方、他方の組はやすりの第２の部分内において０．０４の先細りを提供する。
【００２７】
グループは特定のやすりの２つの部分のそれぞれの長さによっても区別することができる。グループＩ及びIIIにおいては、やすりの第１の部分はすべて同じ長さである。第２の部分の長さはまたやすり毎に一貫している。他のグループのやすりにおいては、第１の部分の長さは、最大の先細りに対して最も短く、やすりの第１の部分の先細りが０．０６での最小先細りへ減少するときに、対応的に増大し、第２の部分の長さはそれに応じて調整される。適当なら、第１の部分の先細りが０．０４又は０．０２であるような付加的なやすりが存在することができる。
【００２８】
他のグループ（グループIII及びIＶ）のやすりにおいては、一定の組内のやすりの第２の部分の先細りは固定ではなく、第１の部分の先細りとは逆に変化する；すなわち、第１の部分の先細りがやすり毎に減少するときに、第２の部分の先細りは増大する。
【００２９】
グループII及びIＶにおいては、第１及び第２の部分の先細り間の変化の位置は先端部からの距離において変化する。この距離が増大すると、やすり毎に、第２の部分の長さはそれに応じて減少する。
【００３０】
上述したＫ型やすり及びヘドストロム(Hedstrom)型やすりの如き種々の形式又は形のフルートを有するやすりにおいて、この複数先細りの特徴を上述の種々のバージョンに組み込むことができる。更に、本発明の複数先細りの特徴は１又はそれ以上の螺旋状のフルートを有するやすり又は少なくとも単一の軸方向切断縁を有するやすりに組み込むことができる。
【００３１】
本発明に係るこれらの特定の構成の１つの特定の利点は根管の宝冠部分を清掃及びシェーピングするその能力から生じ、その後、シャンクに隣接するフルート部分は根管の残りの部分のシェーピングを引き継ぎ、やすりが根管内へ更に移動するときに、選択されたやすりの第２の部分の所望の先細りを維持する。
【実施例】
【００３２】
図１の概略図において、歯１０は患者の顎の骨１２内に位置する状態で示されている。歯１０は切歯であり、歯１０の歯冠内の開口は内部で歯の側部に切削され、その開口は全体を符号１４で示す。歯１０は骨１２内に埋設された歯の先端部へ延びる神経管１６を有する。根管の準備において、神経管１６及び破線輪郭内の取り巻き部分は、根管の完成に使用される材料での引き続きの充填のために、取り除くべきである。
【００３３】
図２はやすり２０を支持するハンドル２２を有する従来技術の普通の根管用やすりを示す。このやすりはフルート長さＸ、シャンク直径Ｙ及び先端部直径Ｚを有する。この形式のＩＳＯ規格やすりにおいて、Ｘは１６ｍｍに等しく、Ｙは０．３２ｍｍ＋Ｚに等しく、Ｚはやすりの寸法に応じて変化し、最小のやすりに対する０．０６ｍｍで始まり、最大のやすりに対する１．４ｍｍまで増大する。最小のやすりは鋭利な先端部を有し、これは、一連の各やすりが先端部において一層大きな直径を有するために、必要である。
【００３４】
図３Ａ乃至図３Ｄは本発明に係る４つの複数先細りしたやすり３１、３２、３３、３４の組を概略的に示す。各やすりは、先端部４０に隣接する第１の部分Ａ及び先端部から離れ、シャンク（図示せず）へ戻るように延びる第２の部分Ｂを備えた状態で示されている。部分Ａ、Ｂは同じやすり内で異なる先細りを有し、第１の部分の先細りはまたやすり毎に変化する。やすり３１においては、第１の部分の先細りは０．１２である。やすり３２においては、第１の部分の先細りは０．１０である。やすり３３においては、第１の部分の先細りは０．０８である。やすり３４においては、第１の部分の先細りは０．０６である。一層小さなやすりに対しては、必要に応じて、第１の部分の先細りを０．０４又は０．０２とすることができる。一定の組のやすり毎の第１の部分の先細りの同じ変化はここに開示されたすべてのやすり組に適用される。
【００３５】
図３Ａ乃至図３Ｄに示す第１の組のやすりにおいては、第２の部分Ｂの先細りは０．０２ｍｍ／ｍｍである。また図３Ａ乃至図３Ｄの図面に示す第２の組のやすりにおいては、第２の部分Ｂの先細りは０．０４ｍｍ／ｍｍである。図３Ａ乃至図３Ｄのやすりは以後グループＩとして述べる。
【００３６】
図４Ａ乃至図４Ｄは、図３Ａ乃至図３Ｄのものとは異なる組のやすりを概略的に示す。上述したグループIIのやすりがある。図４Ａ乃至図４Ｄは複数先細り形状のやすり４１、４２、４３、４４を示す。各々のやすり４１−４４においては、先端部５０に隣接する第１の部分Ａと、先端部から離れ、シャンクへ延びる第２の部分Ｂとがある。これらの組のやすりにおいては、各第１の部分は他の第１の部分のものとは異なる長さであり、第１の部分Ａ（０．１２）の最大先細りを有するやすり４１に対して最小となり、第１の部分の先細りが減少するにつれて、やすり４２、４３、４４に対して漸進的に増大する。グループＩの組のやすり３１−３４のように、１つの組のやすり４１−４４は第２の部分Ｂに対して０．０２ｍｍ／ｍｍの先細りを有し、一方、別の組は第２の部分Ｂに対して０．０４ｍｍ／ｍｍの先細りを有する。
【００３７】
本発明のやすりの第１及び第２の部分はやすりの材料（ニッケルチタンであるかステンレス鋼であるか又はある他の材料）や、第１及び第２の部分の特定の先細りや、やすりの直径等の如き多数の因子に基づいて決定される。第１の部分の長さＬの選択は第２の部分の長さを（１６ｍｍのフルート長さを有するやすりに対して）１６−ＬAとして固定する。
【００３８】
図５Ａ乃至図５Ｄは本発明に係る別の組の４つの複数先細りしたやすり５１、５２、５３、５４を概略的に示す。各やすりは先端部６０に隣接する第１の部分Ａと、先端部から離れ、シャンク（図示せず）へ戻るように延びる第２の部分Ｂとを備えた状態で示されている。部分Ａ、Ｂは同じやすり内で異なる先細りを有し、第１の部分内の先細りはやすり毎に変化する。やすり５１においては、第１の部分の先細りは０．１２である。やすり５２においては、第１の部分の先細りは０．１０である。やすり５３においては、第１の部分の先細りは０．０８である。やすり５４においては、第１の部分の先細りは０．０６である。
【００３９】
これらのやすり５１−５４においては、第２の部分の先細りはやすり毎に変化し、第１の部分の先細りが減少するにつれて、先細りが増大する。やすり５１に対しては、第２の部分の先細りは０．０１ｍｍ／ｍｍであり；やすり５２に対しては、それは０．０２であり；やすり５３に対しては、それは０．０３であり；やすり５４に対しては、第２の部分の先細りは０．０４ｍｍ／ｍｍである。図５Ａ乃至図５Ｄのやすりは以後グループIIIとして述べる。
【００４０】
図６Ａ乃至図６Ｄは上述のグループIＶのやすりである本発明に係る更に別の組のやすりを概略的に示す。図６Ａ乃至図６Ｄは複数先細り形状のやすり６１、６２、６３、６４を示す。やすり６１−６４の各々においては、先端部７０に隣接する第１の部分Ａと、先端部から離れ、シャンクへ延びる第２の部分Ｂとがある。この組のやすりにおいては、各第１の部分は他の第１の部分のものとは異なる長さであり、第１の部分Ａ（０．１２）の最大先細りを有するやすり６１に対して最も短く、やすり６１に対する０．１０で開始してやすり６４に対する０．０６に至る第１の部分の先細りが減少するにつれて、やすり６２、６３、６４に対して漸進的に増大する。所望なら、０．０４及び０．０２の一層小さい先細りを第５及び第６のやすり内に適当なものとして設けることができる。
【００４１】
従って、第２の部分の先細りに対する第１の部分の先細りの比率は、０．０２の第２部分の先細りを備えたグループＩのやすりに対しては、３乃至６の範囲にある。第１の部分の最小先細りが０．０２である場合、先細り比率の範囲は１から６までである。これらのやすり６１−６４においては、第２の部分の先細りはやすり毎に変化し、第１の部分の先細りが減少するにつれて、先細りが増大する。やすり６１に対しては、第２の部分の先細りは０．０１ｍｍ／ｍｍであり；やすり６２に対しては、それは０．０２であり；やすり６３に対しては、それは０．０３であり；やすり６４に対しては、第２の部分の先細りは０．０４ｍｍ／ｍｍである。
【００４２】
歯の根管の準備のための本発明に係る複数先細りしたやすりの使用の結果、一層少ない時間で及び一層少数のやすりで、良好な結果を得ることができる。複数先細りしたやすりの１つが歯の根内へ一層深く駆動された場合、やすりの異なる深さでの切断フルートの異なる部分が、グッタペルカ又は他の充填材料を受け入れるための準備において、根管を最終形状へとシェーピングするのに有効となる。これらのやすりは図２に示す形式のハンドルを有する個々のやすりとして説明した。しかし、これらは動力駆動で使用するための器具として同様に適用できる。
【００４３】
図７Ａ、図７Ｂ、図７Ｃ及び図７Ｄに概略的に示した形状（ただし、これに限定されない）に対応して、やすりは異なる形状及び断面形状とすることができる。図７Ａは３つの切断縁１２２、１２４、１２６を備えた断面として器具１２０を示す。切断縁１２２、１２４、１２６間には、３つの面１２３、１２５、１２７がそれぞれ存在する。これらの面は確実なレーキ角度及び改善された切断縁１２２、１２４、１２６を提供するような横断面としてほぼ形状づけられる。
【００４４】
図７Ｂは３つの切断縁１３２、１３４、１３６を備えた断面として器具１３０を示す。切断縁間には、３つの面１３３、１３５、１３７が存在する。各面はフルート縁として半径方向のランド部を備えた、断面が凹状となっている。図７Ｂの形状は、図７Ａに比べて少ない製造コストで、改善された切断縁を提供する。
【００４５】
図７Ｃは器具１４０を断面で示す。この器具は切断縁１４２、１４４、１４６間に平坦な面１４３、１４５、１４７を備えた三角形断面を有する。図７Ｄは器具１５０を断面で示す。この器具は、他のものとは違って、２つの対向する切断表面１５２、１５４を有する。
【００４６】
本発明を有利に使用できるような方法を示す目的で、本発明に係る複数先細りした歯科用のやすりの種々の特定の構成を上述したが、本発明がそれに限定されないことを認識されたい。従って、当業者が行うことのできる任意の及びすべての修正、変更及び等価構成は特許請求の範囲で規定された本発明の範囲内に入るものと考えるべきである。
【図面の簡単な説明】
【００４７】
【図１】破線で示す根管シェーピング手順中に一部が除去される歯の根管の概略図である。
【図２】従来技術の普通のＩＳＯやすりを示す図である。
【図３】図３Ａ乃至図３Ｄは本発明に係る第１のグループの４つの複数先細りのやすりの概略図である。
【図４】図４Ａ乃至図４Ｄは本発明に係る第２のグループの４つの複数先細りのやすりの概略図である。
【図５】図５Ａ乃至図５Ｄは本発明に係る第３のグループの４つの複数先細りのやすりの概略図である。
【図６】図６Ａ乃至図６Ｄは本発明に係る第４のグループの４つの複数先細りのやすりの概略図である。
【図７】図７Ａ乃至図７Ｄは本発明の複数先細りのやすりの切断フルートのための４つの異なる断面形状の概略断面図である。
【国際公開パンフレット】
2004522524.tif 000003
2004522524.tif 000004
2004522524.tif 000005
2004522524.tif 000006
2004522524.tif 000007
2004522524.tif 000008
2004522524.tif 000009
2004522524.tif 000010
2004522524.tif 000011
2004522524.tif 000012
2004522524.tif 000013
2004522524.tif 000014
2004522524.tif 000015
2004522524.tif 000016
2004522524.tif 000017
2004522524.tif 000018
2004522524.tif 000019
2004522524.tif 000020
2004522524.tif 000021
2004522524.tif 000022
2004522524.tif 000023
2004522524.tif 000024
2004522524.tif 000025
2004522524.tif 000026
【国際公開パンフレット（コレクトバージョン）】
2004522524.tif 000027
2004522524.tif 000028
【国際公開パンフレット（コレクトバージョン）】
2004522524.tif 000029
2004522524.tif 000030
2004522524.tif 000031
2004522524.tif 000032
2004522524.tif 000033
2004522524.tif 000034
2004522524.tif 000035
2004522524.tif 000036
2004522524.tif 000037
2004522524.tif 000038
2004522524.tif 000039
2004522524.tif 000040
2004522524.tif 000041
2004522524.tif 000042
2004522524.tif 000043
2004522524.tif 000044
2004522524.tif 000045
2004522524.tif 000046
2004522524.tif 000047
2004522524.tif 000048
2004522524.tif 000049
2004522524.tif 000050
2004522524.tif 000051
2004522524.tif 000052
【国際調査報告】
2004522524.tif 000053